(57)【要約】【課題】ＩＤタグを確実に特定し、ＩＤタグに接続される作動器を作動させるタグ作動システムを提供することを目的とする。【解決手段】タグ作動システムは、識別番号を有するＩＤタグと、ＩＤタグに接続されＩＤタグから出力された作動命令に応じて作動する作動器と、ＩＤタグを起動するためのトリガー信号を発信するトリガー信号発信器とを有する。トリガー信号発信器は、ＩＤタグを特定する特定番号と、ＩＤタグが作動器に出力する作動命令とを含むトリガー信号を発信するトリガーコイルを有し、ＩＤタグは、トリガー信号を磁気結合により受信するトリガーアンテナを有し、作動器は、トリガー信号に含まれる作動命令を受信する作動器受信部を有する。【選択図】図１
0003152240.tif 000002
【実用新案登録請求の範囲】
【請求項１】
識別番号を有するＩＤタグと、前記ＩＤタグに接続され前記ＩＤタグから出力された作動命令に応じて作動する作動器と、前記ＩＤタグを起動するためのトリガー信号を発信するトリガー信号発信器とを有するタグ作動システムであって、
前記トリガー信号発信器は、前記ＩＤタグを特定する特定番号と、前記ＩＤタグが前記作動器に出力する前記作動命令とを含む前記トリガー信号を発信するトリガーコイルを有し、
前記ＩＤタグは、前記トリガー信号を磁気結合により受信するトリガーアンテナを有し、
前記作動器は、前記トリガー信号に含まれる前記作動命令を受信する作動器受信部を有する、
タグ作動システム。
【請求項２】
前記トリガー信号発信器は、磁気結合による磁界を調整する磁界調整部を有する、請求項１に記載のタグ作動システム。
【請求項３】
前記ＩＤタグは、電池を有するアクティブ型のタグであり、前記トリガー信号発信器が発信した前記トリガー信号を受信する強度を調整する受信強度調整部を有する、請求項１または２に記載のタグ作動システム。
【請求項４】
前記ＩＤタグは、前記トリガー信号を磁気結合のみにより受信する前記トリガーアンテナを有する、請求項１〜３のいずれかに記載のタグ作動システム。
【請求項５】
前記ＩＤタグは、前記トリガー信号に含まれる前記特定番号と、前記識別番号とが合致するか否かを判断する判断部を有する、請求項１〜４のいずれかに記載のタグ作動システム。
【請求項６】
前記ＩＤタグは、前記判断部により、前記特定番号と前記識別番号とが合致すると判断したとき、前記作動部に前記作動命令を出力する出力部を有する、請求項５に記載のタグ作動システム。
【請求項７】
前記ＩＤタグは、前記作動部に前記作動命令を出力するための外部出力用端子を複数有する、請求項１〜６のいずれかに記載のタグ作動システム。
【請求項８】
請求項１〜７のいずれかに記載のタグ作動システムと、
前記タグ作動システムを制御する通信制御部を含む制御通信器と、
を有する物品管理システム。
【請求項９】
前記制御通信器は、前記特定番号と前記作動命令との入力を受け付ける入力部を有する、請求項８に記載の物品管理システム。
【請求項１０】
前記制御通信器は、複数の前記ＩＤタグを特定する特定情報と、複数の前記ＩＤタグが有する前記識別番号とを関連づけて記憶する通信記憶部を含み、
前記入力部は、前記特定情報の入力を受け付け、
前記通信制御部は、前記入力部により、前記特定情報と前記作動命令とを受け付けると、前記特定情報に関連する前記識別番号を有する前記複数のＩＤタグに接続される前記作動器を、前記作動命令に応じて作動させるよう制御する、請求項９に記載の物品管理システム。
【考案の詳細な説明】
【技術分野】
【０００１】
この考案は、タグ作動システムおよび物品管理システムに関し、特に、ＩＤタグを特定し、ＩＤタグに付される作動器を作動させるタグ作動システムおよびＩＤタグが付される物品の管理、および検索を行う物品管理システムに関する。
【背景技術】
【０００２】
従来の、ＩＤ（ＩＤｅｎｔｉｆｉｃａｔｉｏｎ）タグを利用して物品を管理する装置が、たとえば、特開２００１−３０１９２１号公報（以下、特許文献１という）に開示されている。特許文献１によれば、本文献の物品管理装置は、ＩＤ番号若しくは所定の情報を有するＩＤタグが物品に付され、ユーザにより、端末装置から物品を特定するＩＤ番号若しくは所定の情報と、所定の動作を指令する指令信号とが入力され、検索が実行されると、ＩＤ番号と指令信号などの情報は、電磁波に変換され、ＩＤタグへ送信される。ＩＤダグが有するアンテナで電磁波を受信した後、ＩＤタグは自らに接続されたＬＥＤを点灯させることで、ユーザにその所在位置を報知することができると開示している。
【先行技術文献】
【特許文献】
【０００３】
【特許文献１】特開２００１−３０１９２１号公報
【考案の概要】
【考案が解決しようとする課題】
【０００４】
従来の物品管理装置、および物品検索装置は上記のように構成されていた。すなわち、電波、および電磁波を用いて物品に付されるＩＤタグとリーダライタとが通信を行うことで、ＩＤタグが付される物品の管理、および検索を行っていた。このとき、ＩＤタグとリーダライタとの間で行われる通信は、電波、および電磁波を利用する方式、すなわち、ＲＦ−ＩＤ（Ｒａｄｉｏ  Ｆｒｅｑｕｅｎｃｙ  ＩＤｅｎｔｉｆｉｃａｔｉｏｎ）方式が用いられ、特に、ＩＤタグとリーダライタとの距離が比較的に長い場合、たとえば、倉庫内や図書館などにおいて、物品や書物の管理、および検索を行う際に利用されるのは、ＩＤタグが電池を有するアクティブ型のＲＦ−ＩＤタグの方式が採用されている。しかしながら、このアクティブ型のＲＦ−ＩＤタグを利用する物品管理装置、および物品検索装置には、以下のような問題がある。
【０００５】
アクティブ型のＲＦ−ＩＤタグとリーダライタとの通信時に発せられる電波および電磁波は、空間にその際限がないため、高い指向性が必要とされる。また、発せられた電波および電磁波は、周囲の物体が障壁となり反射や干渉や拡散などを起こしやすく、また、多種の電波および電磁波が交錯するため読取り時にノイズを拾いやすいなど、リーダライタからＲＦ−ＩＤタグを確実に特定することができないなどといった問題があった。
【０００６】
この考案の目的は、上記のような問題を解決するためになされたものであり、確実にＩＤタグを特定し、ＩＤタグに接続される作動器を作動させるタグ作動システムを提供することである。
【０００７】
この考案の他の目的は、物品に付されるＩＤタグを確実に特定し、ＩＤタグに接続される作動器を作動させ、確実に物品の管理および検索が可能な物品管理システムを提供することである。
【課題を解決するための手段】
【０００８】
この考案に係る、タグ作動システムは、識別番号を有するＩＤタグと、ＩＤタグに接続されＩＤタグから出力された作動命令に応じて作動する作動器と、ＩＤタグを起動するためのトリガー信号を発信するトリガー信号発信器とを有する。トリガー信号発信器は、ＩＤタグを特定する特定番号と、ＩＤタグが作動器に出力する作動命令とを含むトリガー信号を発信するトリガーコイルを有し、ＩＤタグは、トリガー信号を磁気結合により受信するトリガーアンテナを有し、作動器は、トリガー信号に含まれる作動命令を受信する差動器受信部を有する。
【０００９】
好ましくは、トリガー信号発信器は、磁気結合による磁界を調整する磁界調整部を有する。
【００１０】
こうすることにより、磁界、すなわちＩＤタグを起動させることが可能な領域を目的に応じて調整することが可能となる。
【００１１】
さらに好ましくは、ＩＤタグは、電池を有するアクティブ型のタグであり、トリガー信号発信器が発信したトリガー信号を受信する強度を調整する受信強度調整部を有する。
【００１２】
さらに好ましくは、ＩＤタグは、トリガー信号を磁気結合のみにより受信するトリガーアンテナを有する。
【００１３】
さらに好ましくは、ＩＤタグは、トリガー信号に含まれる特定番号と、識別番号とが合致するか否かを判断する判断部を有する。
【００１４】
さらに好ましくは、ＩＤタグは、判断部により、特定番号と識別番号とが合致すると判断したとき、作動部に作動命令を出力する出力部を有する。
【００１５】
さらに好ましくは、ＩＤタグは、作動部に作動命令を出力するための外部出力用端子を複数有する。
【００１６】
こうすることにより、ＩＤタグは作動器を複数接続することができ、ユーザの所望の作動器を選択的に作動させることが可能となる。またさらに、複数の作動器を同時に作動することも可能となる。
【００１７】
この考案の他の局面において、物品管理システムは、上記したいずれかのタグ作動システムと、タグ作動システムを制御する通信制御部を含む制御通信器とを有する。
【００１８】
好ましくは、制御通信器は、特定番号と作動命令との入力を受け付ける入力部を有する。
【００１９】
さらに好ましくは、制御通信器は、複数のＩＤタグを特定する特定情報と、複数のＩＤタグが有する識別番号とを関連づけて記憶する通信記憶部を含み、入力部は、特定情報の入力を受け付け、通信制御部は、入力部により、特定情報と作動命令とを受け付けると、特定情報に関連する識別番号を有する複数のＩＤタグに接続される作動器を、作動命令に応じて作動させるよう制御する。
【考案の効果】
【００２０】
この考案に係るタグ作動システムによると、ＩＤタグを特定する特定番号と作動器に出力する作動命令とを含むトリガー信号を発信すると、発信されたトリガー信号をＩＤタグが磁気結合により受信し、ＩＤタグに接続される作動器に対しトリガー信号に含まれる作動命令をＩＤタグが出力するため、作動器は作動命令に応じて作動する。したがって、確実にＩＤタグを特定することが可能となり、ＩＤタグに接続される作動器を作動させることが可能となる。
【図面の簡単な説明】
【００２１】
【図１】この考案に係る一実施形態の物品管理システムの全体の構成を示すブロック図である。
【図２】タグとタグに接続される作動器とが物品に付されている状態を示す模式図である。
【図３】タグと作動器が接続された状態における全体の構成を示すブロック図である。
【図４】物品管理システムにおいて、制御通信器を制御する通信制御部、トリガー信号発信器を制御するユニット制御部、およびタグを制御するタグ制御部それぞれの動作を示すフローチャートである。
【考案を実施するための形態】
【００２２】
以下、この考案の実施形態を、図面を参照して説明する。
【００２３】
図１は、この考案の一実施形態に係るタグ作動システムを有する物品管理システム１の全体の構成を示すブロック図であり、図２は、ＩＤタグとＩＤタグに接続される作動器とが物品に付されている状態を示す模式図である。図１、および図２を参照して、物品管理システム１は、物品管理システム１全体を制御する制御通信器１０と、トリガー信号を発信する複数のトリガー信号発信器２０ａ〜２０ｃと、物品に付され、識別番号を有するＩＤタグ（以下、ＩＤを省略）３０と、タグ３０の外部出力用端子３９ａを介して作動命令を受信して作動する作動器５０とを有する。タグ３０が付される物品を収納するための収納棚６０ａは、複数の収納段６１ａ〜６１ｃを備える。また、収納棚６０ｂおよび６０ｃについても同様に、複数の収納段を有している。各収納棚６０ａ〜６０ｃの底面には、トリガーコイル２２ａ〜２２ｃがそれぞれ設置されている。上記のうち、タグ作動システムは、トリガー信号発信器２０ａ〜２０ｃと、トリガーコイル２２ａ〜２２ｃと、タグ３０と、タグ３０に接続される作動器５０とにより構成される。
【００２４】
次に、制御通信器１０の構成について説明する。制御通信器１０は、制御通信器１０全体を制御する通信制御部１１と、ユーザからのタグ３０の特定番号と作動命令との入力を受け付ける入力部１２と、制御通信器１０の情報をユーザに表示する表示部１３と、トリガーコイル２２ａ〜２２ｃが形成する磁界を調整する磁界調整部１４と、後述するトリガー信号発信器２０ａのユニット送受信部２４と相互にデータを送受信する送受信部１５とを有する。
【００２５】
入力部１２は、文字入力を可能にするキーボードと数字入力を可能にするテンキーとを有し、ユーザにとって種々の入力を可能にするインターフェースである。また、ここで入力されるタグ３０を特定する特定番号、作動器５０に作動させる作動内容を特定する作動命令、および磁界調整部１４により磁界を特定する値である磁界調整値を入力情報とし、ユーザによって入力された入力情報および制御通信器１０の有する情報を表示部１３に表示する。なお、上記した構成を含む制御通信器１０は、たとえば、ＰＣ（Ｐｅｒｓｏｎａｌ  Ｃｏｍｐｕｔｅｒ）である。
【００２６】
また、磁界調整部１４は、トリガーコイル２２ａ〜２２ｃで形成される磁界の強度や形状などの調整を可能にする。たとえば、入力部１２のテンキーにより数値入力されることで、磁界の強度を調整することが可能である。
【００２７】
ここにおいて、制御通信器１０の送受信部１５と、トリガー信号発信器２０ａのユニット送受信部２４とは、ＬＡＮ（Ｌｏｃａｌ  Ａｒｅａ  Ｎｅｔｗｏｒｋ）ケーブル１７ａ、および１７ｂで接続されており、相互にデータの送受信が可能である。また、トリガー信号発信器２０ｂおよび２０ｃのユニット送受信部についても同様に、送受信部１５とＬＡＮケーブル１７ａとＬＡＮケーブル１７ｃ、およびＬＡＮケーブル１７ａとＬＡＮケーブル１７ｄで接続されている。また、ＬＡＮケーブル１７ａ〜１７ｄは、ハブ１６により送受信部１５から各トリガー信号発信器２０ａ〜２０ｃへ分岐されている。
【００２８】
次に、トリガー信号発信器２０ａ〜２０ｃの構成について説明する。各トリガー信号発信器２０ａ〜２０ｃは、それぞれトリガーユニット２１ａ〜２１ｃと、トリガーコイル２２ａ〜２２ｃとを有する。以下、トリガー信号発信器２０ａに着目して説明する。トリガーユニット２１ａは、トリガー信号発信器２０ａ全体を制御するユニット制御部２３と、接続されたＬＡＮケーブル１７ａおよび１７ｂを介して制御通信器１０の送受信部１５と相互にデータを送受信するユニット送受信部２４と、ユニット送受信部２４で受信した情報をトリガー信号に含み発信できる形態にデータ変換するデータ変換部２５とを有する。
【００２９】
トリガーコイル２２ａは、収納棚６０ａの底面でループ状になっており、トリガーコイル２２ａのループを形成する面と収納棚６０ａの底面とは、平行面をなすよう設置されている。ユニット送受信部２４で受信した磁界調整値に基づき、相当する電流がトリガーコイル２２ａに流されることにより高周波が生成され、トリガーコイル２２ａのループ面を貫く方向に磁界が形成されることにより、トリガー信号が発信される。また、トリガー信号は、ユニット送受信部２４で受信したユーザの入力情報である特定番号および作動命令を含む信号である。たとえば、上位の４ｂｉｔは作動命令、および下位の８ｂｉｔは特定番号として構成される１２ｂｉｔの信号である。また、作動命令に割り当てられる総数は１６種類、また特定番号として割り当てられる総数は２５６種類である。これら作動命令および特定番号を含むトリガー信号は、トリガー信号発信器２０ａの発信部となるトリガーコイル２２ａから、タグ３０に向けて発信される。このとき、発信されたトリガー信号は、後述するタグ受信部３１の磁界検出コイル３１ｘ〜３１ｚとの間で磁気結合され、タグはトリガー信号を検出する。このとき、磁界検出コイル３１ｘ〜３１ｚは、トリガーアンテナとして作動する。
【００３０】
次に、物品に付されたタグ３０および作動器５０の構成について説明する。図３は、タグ３０と作動器５０が接続された状態における全体の構成を示すブロック図である。図２、および図３を参照して、タグ３０は、トリガー信号を検出、および受信するタグ受信部３１と、タグ３０を駆動するための電力を供給する電池３３と、トリガー信号（磁界）を検出すると休止状態から活動状態に、また磁界を検出しなくなると活動状態から休止状態に切り替えるスイッチ３４と、タグ駆動部３５とを含む。なお、タグ３０および作動器５０は、電池３３を共用する。
【００３１】
また、タグ受信部３１は、トリガー信号を受信するためにそれぞれがＸ軸、Ｙ軸、および、Ｚ軸の相互に直交した三軸に延在するフェライトコイルからなる磁界検出コイル３１ｘ〜３１ｚと、磁界を検出およびトリガー信号を検波する磁界検出および検波回路３２ｘ〜３２ｚと、磁界検出コイル３１ｘ〜３１ｚおよび磁界検出および検波回路３２ｘ〜３２ｚからの信号を受信し、磁界を検出する強度を調整する受信強度調整部３２ａとを有する。また、受信強度調整部３２ａは、各磁界検出コイル３１ｘ〜３１ｚのコイル面を貫くそれぞれの磁界の強度から、タグ３０が位置する周囲の空間的な磁界の強度の絶対値を算出する。
【００３２】
ここで、磁界検出コイル３１ｘ〜３１ｚについて説明する。磁界検出コイル３１ｘ〜３１ｚは、各磁界検出コイル３１ｘ〜３１ｚが有するコイル面を磁力線が貫くことで磁界を検出する。したがって、タグ３０が如何なる磁界の向きでも検出を可能にするため、タグ受信部３１の各磁界検出コイル３１ｘ〜３１ｚは、相互に直交するＸ軸、Ｙ軸、およびＺ軸に延在するよう配置される。すなわち、物品に付されるタグ３０が如何なる向きに収納されていても、磁界を検出することが可能となるため、タグ３０は磁界内において、確実にトリガー信号を検出することが可能となる。またこのとき、検出したそれぞれＸ軸、Ｙ軸、およびＺ軸における磁界の強度は、それぞれ向きを考慮した磁界の強度を示す磁界ベクトルの和により、タグ３０が付される物品の位置における磁界の強度の絶対値を算出してもよい。
【００３３】
次に、タグ駆動部３５の構成について説明する。タグ駆動部３５は、タグ駆動部３５全体を制御するタグ制御部３６と、自らの識別番号を記憶するタグ記憶部３７と、トリガー信号に含まれる特定番号と自らの記憶する識別番号とが合致するか否かを判断する判断部３８と、トリガー信号に含まれる作動命令に基づき外部出力用端子３９ａを介して作動器５０に作動命令を出力する出力部３９とを有する。
【００３４】
ここにおいて、判断部３８はトリガー信号発信器２０から発信されるトリガー信号により、作動命令と特定番号とを分けて、上位ビットと下位ビットとを一度に判断する。なお、トリガー信号により起動されるタグ３０は、トリガー信号を磁気結合のみにより受信するのが好ましい。
【００３５】
次に、作動器５０ａ〜５０ｃの構成を説明する。作動器５０ａに着目して、作動器５０ａは、タグ３０の外部出力用端子３９ａからの作動命令を受信する作動器受信部５１と、作動器受信部５１で受信した作動命令に応じて作動する作動部５２とを有する。具体的には、作動器５０ａはＬＥＤであり、点灯する旨の作動命令をタグ３０から受信したら、ＬＥＤは点灯を行う。また、作動器５０ａはブザーであり、音を発する旨の作動命令を受信したら、ブザー音を発する。また、振動する旨の作動命令を受信したら、振動を行う。さらに、それぞれタグ３０におけるタグ駆動部３５は、出力部３９に複数の外部出力用端子３９ａを備えており、外部出力用端子３９ａの端子数に応じて、複数の作動器５０を接続することが可能である。したがって、たとえば、タグ３０にはＬＥＤとブザーとの両者が接続されて、同時に作動させてもよい。
【００３６】
次に、図１に示す構成において、収納棚６０ａからタグが付された特定の物品を作動させる際に、物品管理システム１を適用したときの動作について説明する。図４は、物品管理システム１において、制御通信器１０を制御する通信制御部１１、トリガー信号発信器２１ａを制御するユニット制御部２３、およびタグ３０を制御するタグ制御部３６それぞれの動作を示すフローチャートである。なお、他のトリガー信号発信器２０ｂ、および２０ｃについても同様とする。また、図４において、Ｓ１０１〜１０４は通信制御部１１、Ｓ２０１〜２０３はユニット制御部２３、およびＳ３０１〜３０５はタグ制御部３６の動作を示している。図４を参照して、通信制御部１１は、ユーザにより、多数の物品に付されたタグ３０を特定する特定番号、および特定したタグ３０に接続された作動器５０に作動させる作動命令の入力を、入力部１２より受け付ける（図４において、ステップＳ１０１。以下、ステップは省略する）。次に、磁界調整部１４において、磁界を特定する磁界調整値の入力を、入力部１２より受け付ける（Ｓ１０２）。次に、特定番号と、作動命令と、磁界調整値とを含む入力情報を、送受信部１５からトリガー信号発信器２０ａ〜２０ｃに送信する（Ｓ１０３）。次に、ユニット制御部２３は、制御通信器１０から送信された特定番号および作動命令と、磁界調整値とを含む入力情報をユニット送受信部２４にて受信する（Ｓ２０１）。次に、受信した特定番号および作動命令を、データ変換部２５にて変換し特定番号および作動命令を含むトリガー信号を、トリガーコイル２２ａ〜２２ｃが形成する磁界とともにタグ３０に向けて発信する（Ｓ２０２）。次に、タグ制御部３６は、タグ受信部３１にて、トリガー信号を受信すると（Ｓ３０１）、スイッチ３４を活動状態に切り替え、タグ駆動部３５に電池３３の電力を供給して、タグ駆動部３５を駆動させる（Ｓ３０２）。次に、判断部３８にて、タグ記憶部３７に記憶されている識別番号と、トリガー信号に含まれる特定番号とが合致するか否かを判断する（Ｓ３０３）。次に、判断部３８にて行った判断の結果、特定番号と識別番号とが合致した場合（Ｓ３０３において、ＹＥＳ）、出力部３９の外部出力用端子３９ａに接続される作動器５０に、作動命令を出力する（Ｓ３０４）。次に、出力された作動命令を作動器受信部５１で受信した後、作動命令に応じて、作動器５０の作動部５２を作動させる（Ｓ３０５）。
【００３７】
上記したように構成することにより、ＩＤタグをトリガー信号による磁気結合により起動させることが可能な領域、すなわち、閉じられた領域において、タグはトリガー信号を確実に受信することが可能となる。
【００３８】
その結果、タグを確実に特定することが可能となるため、トリガー信号に含まれる作動命令を確実に作動器に出力し、作動させることが可能となる。
【００３９】
また、一方、判断部３８で行った判断の結果、識別番号と特定番号が合致しなければ（Ｓ３０３において、ＮＯ）、出力部３９から作動器５０への作動命令は出力されない。
【００４０】
なお、Ｓ２０２において、トリガーコイル２２ａ〜２２ｃがトリガー信号を発信すると、制御通信器１０の表示部１３に、トリガー信号を正常に発信した旨をユーザに告知させるため、信号を送信し、表示部１３に表示させる（Ｓ１０４）。これにより、作動器５０が作動しなかった場合、ユーザによって入力された入力情報では、タグ３０が特定されなかったことをユーザは知ることが可能となる。
【００４１】
次に、この考案の別の実施形態について説明する。この実施形態においては、複数のタグを特定する特定情報と、複数のタグが有する識別番号とを関連づけて記憶する通信記憶部を有する物品管理システムである。したがって、この実施形態における物品管理システムは、上記した実施形態の構成に加え、制御通信器は、特定情報と、複数のタグが有する識別番号とを関連づけて記憶する通信記憶部と、特定情報の入力を受け付ける入力部とを有する。
【００４２】
上記のように構成することにより、ユーザにより入力された特定情報から複数のタグをを特定することが可能となり、接続される作動器を作動命令に応じて作動させることが可能となる。
【００４３】
図１、および図２を参照して、異なる多種の部品が収納棚６０ａ〜６０ｃの収納段６１ａ〜６１ｃに乱雑に収納されている。また、それぞれの部品にはタグ３０が付されており、タグ３０には、作動器５０としてＬＥＤが接続されている。ここにおいて、特定情報は、たとえば「完成品Ｒ」であり、関連する複数のタグ３０は、「完成品Ｒ」を組み立てるために必要な部品に付されている。
【００４４】
ユーザは、制御通信器１０の入力部１２より、「完成品Ｒ」をキーボードから入力する。ここにおいて、ユーザが完成品Ｒと入力することは、「完成品Ｒ」と複数の部品を特定する識別番号（特定番号）とが通信制御部１１の図示のない通信記憶部に関連づけられて記憶されているため、複数の部品に付されるタグ３０が有する識別番号を入力したこととなる。また、タグ３０に接続される作動器５０はＬＥＤであるため、作動命令は入力せずとも点灯する旨の命令である。
【００４５】
ユーザにより、入力された「完成品Ｒ」で特定される識別番号と作動命令とは、制御通信器１０からトリガー信号発信器２０ａ〜２０ｃへと送信される。「完成品Ｒ」で特定される識別番号と作動命令を受信したトリガー信号発信器２０ａ〜２０ｃは、トリガーコイル２２ａ〜２２ｃによって、収納棚６０ａ〜６０ｃに収納される部品に付されたタグ３０に、磁界を形成することにより、「完成品Ｒ」で特定される識別番号と作動命令を含むトリガー信号を発信する。タグ３０のタグ受信部３１にて受信されたトリガー信号を、判断部３８にてタグ３０が有する識別番号とトリガー信号に含まれる識別番号が合致するか否かの判断が行われる。トリガー信号に含まれていた識別番号とタグ３０が有する識別番号とが合致したタグ３０のみ、ＬＥＤへ作動命令を出力し、ＬＥＤは点灯を行う。その結果、点灯するＬＥＤにより、特定されたタグ３０が付された複数の部品は、「完成品Ｒ」を組み立てるために必要な複数の部品であることを、ユーザは容易に知ることが可能となる。
【００４６】
これにより、ユーザは「完成品Ｒ」を組み立てるために必要な部品はどこに収納されているか、また何種類の部品が必要なのかを認識していなくても、容易に検出することが可能となる。
【００４７】
なお、上記の実施形態において、磁界調整値は数値で入力する形態で説明したが、これに限ることなく、磁界調整値の選択肢を表示部にて表示し、選択的に入力させる形態でもよい。また、タグを特定する特定番号や作動命令も同様に、表示され選択的に入力させる形態でもよい。たとえば、磁界調整値の場合、収納棚６０ａ〜６０ｃの中から任意の収納棚にのみ設置されたトリガー信号発信器からトリガー信号を発信するようにしてもよい。
【００４８】
図１を参照して、収納棚６０ａの収納段６１ａのみを通信領域として特定する場合は、磁界調整値として「収納棚６０ａ」と「収納段６１ａ」と入力すると、収納棚６０ａの収納段６１ａのみに磁界を形成することができ、「収納棚６０ａ」と「収納段６１ｂ」と入力すると、収納棚６０ａの収納段６１ａおよび６１ｂに磁界を形成することができ、「収納棚６０ａ」と「収納段６１ｃ」と入力すると、収納棚６０ａの収納段６１ａ〜６１ｃに磁界を形成することができる。なお、ここにおいて、形成する磁界の強度に応じて、磁界が到達する高さを選択できる。
【００４９】
なお、上記の実施形態において、タグ受信部３１の磁界検出コイル３１ｘ〜３１ｚは、相互に直交するＸ軸、Ｙ軸、およびＺ軸の延在されるよう配置される形態で説明したが、これに限ることなく、目的に応じて磁界検出コイルの配置を変更してもよい。たとえば、磁界検出コイルを１軸または２軸で磁界を検出してもよい。
【００５０】
なお、上記の実施形態において、タグおよび作動器は、電池を共用する形態で説明したが、これに限ることなく、タグと作動器とは、別で電力の供給される形態でもよい。
【００５１】
なお、上記の実施形態において、作動器はＬＥＤまたはブザーの形態で説明したが、これに限ることなく、作動器がＣＰＵ（Ｃｅｎｔｒａｌ  Ｐｒｏｃｅｓｓｉｎｇ  Ｕｎｉｔ）を有する装置、たとえば、マイクロコンピュータやパーソナルコンピュータでもよい。
【００５２】
なお、上記の実施形態において、制御通信器とトリガー信号発信器とをＬＡＮケーブルで接続する形態で説明したが、これに限ることなく、その他データの送受信可能な通信網でもよい。
【００５３】
なお、上記の実施形態において、磁界調整部は制御通信器に含まれる構成で説明したが、これに限ることなく、トリガー信号発信器に含まれる形態でもよい。また、磁界調整値の特定はユーザによる入力によって行われる形態で説明したが、ユーザによって入力された特定番号および作動命令などの入力情報と磁界調整値とが関連付けられ、これに基づいて磁界が特定される形態でもよい。
【００５４】
なお、上記の実施形態において、トリガー信号は、上位ｂｉｔを作動命令として、下位ｂｉｔを特定番号として構成される形態で説明したが、これに限ることなく、そのＩＤの割り当て方は、目的に応じて割り当て方を変更してもよい。また、１２ｂｉｔで構成される形態で説明したが、目的に応じて、任意のｂｉｔで構成されてもよい。
【００５５】
なお、上記の実施形態において、トリガー信号発信器のトリガーコイルは収納棚の底面に設置する形態で説明したが、これに限ることなく、トリガーコイルが磁界を形成し、トリガー信号を発信する形態であればよい。たとえば、設置については、下に敷くマット、天井、天面、および床などに付したり、埋没させるなどで、トリガーコイルを水平に対して平行面に設ける形態でもよい。また、建物の壁や什器などに付したり、埋没させるなどで、トリガーコイルを水平に対して垂直面に設ける形態でもよい。またさらには、トリガーコイルは、携帯可能な構成であり、物品に付されたタグに対してトリガーコイルをかざす形態であってもよい。
【００５６】
以上、図面を参照してこの考案の実施形態を説明したが、この考案は、図示した実施形態に限られない。図示した実施形態に対して、この考案と同一の範囲内において、あるいは均等内において、種々の修正や変形を加えることが可能である。
【産業上の利用可能性】
【００５７】
この考案に係る物品管理システムは、物品に限らず、人、動物などの動態管理にも有利に利用される。
【符号の説明】
【００５８】
１  物品管理システム、１０  制御通信器、１１  通信制御部、１２  入力部、１３  表示部、１４  磁界調整部、１５  送受信部、１６  ハブ、１７ａ〜１７ｄ  ＬＡＮケーブル、２０ａ〜２０ｃ  トリガー信号発信器、２１ａ〜２１ｃ  トリガーユニット、２２ａ〜２２ｃ  トリガーコイル、２３  ユニット制御部、２４  ユニット送受信部、２５  データ変換部、３０  ＩＤタグ、３１  タグ受信部、３１ｘ〜３１ｚ  磁界検出コイル、３２ａ  受信強度調整部、３２ｘ〜３２ｚ  磁界検出および検波回路、３３  電池、３４  スイッチ、３５  タグ駆動部、３６  タグ制御部、３７  タグ記憶部、３８  判断部、３９  出力部、３９ａ  外部出力用端子、５０ａ〜５０ｃ  作動器、５１  作動器受信部、５２  作動部、６０ａ〜６０ｃ  収納棚、６１ａ〜６１ｃ  収納段。
【図１】
0003152240.tif 000003
【図２】
0003152240.tif 000004
【図３】
0003152240.tif 000005
【図４】
0003152240.tif 000006